(57)【要約】内側部（３１）及び／又は外側部（３２）の補強材（３Ｌ）の貫通孔（Ｈ）に挿通され、かつ、前後方向に沿って配置されたコード（１）と、前記コード（１）の一部が露出された状態で配置されている露出エリア（１０）と、前記露出エリア（１０）において前記コード（１）に足の横断方向に係合し前記内側部（３１）と前記外側部（３２）とを互いに近づけるためのシューレース（２）とを備え、前記少なくとも１つの補強材（３Ｌ）の各上端部（４）は、前部又は後部のいずれか一方において柔軟材（３Ｆ）に付着され、かつ、前部又は前記後部の他方において前記柔軟材（３Ｆ）に非付着状態に設定されている。
2015155882.tif 000002
【特許請求の範囲】
【請求項１】
少なくとも足の甲の一部を覆う柔軟材を前記甲にフィットさせるためのアッパーであって、前記甲の内側面を覆う内側部３１と、前記甲の外側面を覆う外側部３２と、前記内側部３１及び／又は外側部３２において前記甲の少なくとも一部を覆う柔軟な柔軟材３Ｆと、前記柔軟材３Ｆよりも剛性が大きく、前記内側部３１及び／又は外側部３２の柔軟材３Ｆの表面に少なくとも下半部３９が付着された少なくとも１つの補強材３Ｌと、前記少なくとも１つの補強材３Ｌは互いに足の前後方向Ｙに分かれた複数の上端部４を有し、前記各上端部４には前記補強材３Ｌの表面の法線方向に前記補強材３Ｌを貫通する貫通孔Ｈが定義され、前記内側部３１及び／又は外側部３２の中央寄りの縁部３３において、前記内側部３１及び／又は外側部３２の前記貫通孔Ｈに挿通され、かつ、前記前後方向Ｙに沿って配置されたコード１と、前記コード１の一部は露出された状態で配置されている露出エリア１０を有し、前記露出エリア１０において前記コード１に足の横断方向Ｘに係合し前記内側部３１と前記外側部３２とを互いに近づけるためのシューレース２とを備え、  前記少なくとも１つの補強材３Ｌの各上端部４は、前部４Ｆ又は後部４Ｒのいずれか一方において前記柔軟材３Ｆに付着され、かつ、前記前部４Ｆ又は後部４Ｒの他方において前記柔軟材３Ｆに非付着状態に設定されている。
【請求項２】
請求項１のアッパーにおいて、  前記少なくとも１つの補強材３Ｌの各上端部４は、前記貫通孔Ｈよりも先端側の先端縁４０、前記前部４Ｆ又は後部４Ｒのうち、前記前部４Ｆ又は後部４Ｒのいずれか一方においてのみ前記柔軟材３Ｆに付着されている。
【請求項３】
請求項１のアッパーにおいて、下記の（ａ）又は（ｂ）のいずれか一方に設定されている、  （ａ）前記少なくとも１つの補強材３Ｌの各上端部４は、前記前部４Ｆにおいて前記柔軟材３Ｆに付着され、かつ、前記後部４Ｒにおいて前記柔軟材３Ｆに非付着状態に設定されている、  （ｂ）前記少なくとも１つの補強材３Ｌの各上端部４は、前記後部４Ｒにおいて前記柔軟材３Ｆに付着され、かつ、前記前部４Ｆにおいて前記柔軟材３Ｆに非付着状態に設定されている。
【請求項４】
請求項１，２もしくは３のアッパーにおいて、  前記上端部４における前記貫通孔Ｈよりも先端側の先端縁４０において、前記上端部４が前記柔軟材３Ｆに対し非付着状態に設定されている。
【請求項５】
請求項１〜４のいずれか１項のアッパーにおいて、  前記複数の貫通孔Ｈのうち前記前後方向Ｙに互いに隣り合う２つの前記貫通孔Ｈの間において、前記コード１は一方の上端部４の裏側４ｂに配置され、かつ、他方の上端部４の表側４ｓに配置されていることで、前記コード１と柔軟材３Ｆとの間に前記シューレース２が通る隙間Ｓが形成されている。
【請求項６】
請求項１〜４のいずれか１項のアッパーにおいて、  前記複数の貫通孔Ｈのうち前記前後方向Ｙに互いに隣り合う２つの前記貫通孔Ｈの間において、前記コード１は一方の上端部４の裏側４ｂに配置され、かつ、他方の上端部４の表側４ｓに配置されていることで、  前記互いに隣り合う２つの上端部４のうちの一方の上端部４の裏側４ｂと他方の上端部４の表側４ｓとが少なくとも一部において互いに対面した状態で配置されている。
【請求項７】
請求項１〜４のいずれか１項のアッパーにおいて、  前記複数の貫通孔Ｈのうち前記前後方向Ｙに互いに隣り合う２つの前記貫通孔Ｈの間において、前記コード１は一方の上端部４の裏側４ｂに配置され、かつ、他方の上端部４の表側４ｓに配置されていることで、前記コード１と柔軟材３Ｆとの間に前記シューレース２が通る隙間Ｓが形成されていると共に、  前記互いに隣り合う２つの上端部４のうちの一方の上端部４の裏側４ｂと他方の上端部４の表側４ｓとが少なくとも一部において互いに対面した状態で配置されている。
【請求項８】
請求項１〜７のいずれか１項のアッパーにおいて、  前記コード１の引張剛性は前記シューレース２のそれよりも大きい。
【請求項９】
請求項１〜８のいずれか１項のアッパーにおいて、  前記複数の上端部４のうち前記前後方向Ｙに互いに隣り合う２つの上端部４は、側面視において互いに一部において重なり合っている。
【請求項１０】
請求項１〜９のいずれか１項のアッパーにおいて、  前記少なくとも１つの補強材３Ｌは前記各上端部４からソール８に向かって延びた帯状の帯部３７を備え、  前記帯部３７の上端である前記上端部４において前方及び／又は後方に突出する突部４１が形成されている。
【請求項１１】
請求項１〜９のいずれか１項のアッパーにおいて、  前記少なくとも１つの補強材３Ｌは前記上端部４からソール８に向かって延びた帯状の帯部３７を備え、  前記帯部３７の上端である前記上端部４において前方及び／又は後方に突出する突部４１が形成され、  前記複数の上端部４のうち前記前後方向Ｙに互いに隣り合う２つの上端部４は、側面視において前記突部４１において互いに重なっている。
【請求項１２】
請求項１〜１１のいずれか１項のアッパーにおいて、  前記少なくとも１つの補強材３は前記内側面又は外側面に沿って前記各上端部４から下方又は斜め下方に延びる複数の帯状の帯部３７を備え、  前記複数の帯部３７のうち前記前後方向Ｙに互いに隣り合う２つの帯部３７の間において前記柔軟材３Ｆが露出した柔軟部３５を更に備える。
【請求項１３】
請求項１２のアッパーにおいて、静止立位における前記柔軟部３５の面積に比べ、靴の背屈状態における前記柔軟部３５の面積の方が小さい。
【請求項１４】
請求項１〜１３のいずれか１項のアッパーにおいて、  前記複数の各上端部４は前記各上端部４からソール８に向かって斜め後方に延びた前傾姿勢で配置され、  前記複数の上端部４のうち前方の上端部４に比べ後方の上端部４の方が大きく前傾して配置されている。
【請求項１５】
請求項１〜１４のいずれか１項のアッパーにおいて、  前記少なくとも１つの補強材３Ｌは前記内側面又は外側面に沿って前記各上端部４から下方又は斜め下方に延びる複数の帯状の帯部３７を備え、  前記複数の帯部３７のうち前記前後方向Ｙに互いに隣り合う２つの帯部３７は前記上端部４とは反対側の下端部３８において互いに前後方向又は斜め前後方向に連なっている。
【発明の詳細な説明】
【技術分野】
【０００１】  本発明は靴のアッパー、より詳しくは、紐締めフィッティング構造を備えた靴のアッパーに関する。
【背景技術】
【０００２】  シューレースはアッパーを足にフィットさせる。足にフィットしたアッパーは足を支持する。そのため、甲を覆う柔軟材に補強材が配置される場合が多い。【０００３】しかし、ＭＰ関節の背屈時に足の形状が大きく変化し、そのため、動作中に靴と足との間にズレが生じやすい。【０００４】また、ＭＰ関節から足の中足は姿勢の変化に伴って、その形状が大きく変化する。静止時に足にフィットしていたアッパーが足の形状の変化に追従しないと、アッパーと足とのフィット感が動作時に著しく低下する。特に、補強材は柔軟材よりも剛性が大きく、そのため、柔軟材よりも追従しにくい。
【先行技術文献】
【特許文献】
【０００５】
【特許文献１】ＷＯ２００７／００２０６８Ａ１（図１〜図３）
【特許文献２】実公昭３３−３１３２（第２図）
【特許文献３】ＪＰ２００１−５４４０９Ａ（フロントページ）
【特許文献４】ＪＰ０３−５５７１０Ｙ（第１図）
【特許文献５】ＷＯ２０１３／１３６５１４Ａ１（フロントページ）
【特許文献６】ＵＳＤ７０１，０３１Ｓ（フロントページ）
【発明の概要】
【０００６】  本発明の目的は、柔軟材及び補強材が足の背屈時などに足にフィットし易いアッパーを提供することである。
【０００７】  本発明は、少なくとも足の甲の一部を覆う柔軟材を前記甲にフィットさせるためのアッパーであって、前記甲の内側面を覆う内側部３１と、前記甲の外側面を覆う外側部３２と、前記内側部３１及び／又は外側部３２において前記甲の少なくとも一部を覆う柔軟な柔軟材３Ｆと、前記柔軟材３Ｆよりも剛性が大きく、前記内側部３１及び／又は外側部３２の柔軟材３Ｆの表面に少なくとも下半部３９が付着された少なくとも１つの補強材３Ｌと、前記少なくとも１つの補強材３Ｌは互いに足の前後方向Ｙに分かれた複数の上端部４を有し、前記各上端部４には前記補強材３Ｌの表面の法線方向に前記補強材３Ｌを貫通する貫通孔Ｈが定義され、前記内側部３１及び／又は外側部３２の中央寄りの縁部３３において、前記内側部３１及び／又は外側部３２の前記貫通孔Ｈに挿通され、かつ、前記前後方向Ｙに沿って配置されたコード１と、前記コード１の一部は露出された状態で配置されている露出エリア１０を有し、前記露出エリア１０において前記コード１に足の横断方向Ｘに係合し前記内側部３１と前記外側部３２とを互いに近づけるためのシューレース２とを備え、  前記少なくとも１つの補強材３Ｌの各上端部４は、前部４Ｆ又は後部４Ｒのいずれか一方において前記柔軟材３Ｆに付着され、かつ、前記前部４Ｆ又は後部４Ｒの他方において前記柔軟材３Ｆに非付着状態に設定されている。
【０００８】  本発明において、「各上端部４は、前部４Ｆ又は後部４Ｒのいずれか一方において前記柔軟材３Ｆに付着され、かつ、前部４Ｆ又は後部４Ｒの他方において前記柔軟材３Ｆに非付着状態に設定されている」とは、少なくとも以下の３つの場合を含むことを意味する。  Ｃａｓｅ１：全ての上端部４が前部４Ｆのみにおいて柔軟材３Ｆに付着されている場合。  Ｃａｓｅ２：全ての上端部４が後部４Ｒのみにおいて柔軟材３Ｆに付着されている場合。  Ｃａｓｅ３：前部４Ｆにおいてのみ前記柔軟材３Ｆに付着された上端部４と後部４Ｒにおいてのみ前記柔軟材３Ｆに付着された上端部４とが混在する場合。
【０００９】ここで、「コード」とは、シューレースとして用いることのできる１本又は複数本の紐からなり、天然糸または高分子合成糸を編んだものや天然皮革、合成樹脂製のワイヤーまたは合成皮革からなる単数又は複数の紐などであってもよく、更に、金属ワイヤーや樹脂ワイヤーを包含していてもよいことを意味する。本発明においては金属ワイヤーを包含しているのが好ましい。
【００１０】本発明によれば、コードの露出エリアによってシューレースを通す紐通し孔が形成され、露出エリアが履き口よりも前方の足甲の上に配置されており、そのため、履き口よりも前方においてアッパーの内側部と前記外側部とが足にフィットし易い。また、内側部および外側部が中央寄りの縁部においてシューレースによって中央に引き寄せられアッパーの内側部および外側部が足にフィットし易い。
【００１１】また、補強材３Ｌは下半部３９において柔軟材３Ｆに付着され、また、前記補強材３Ｌの上端部４は、前部４Ｆ又は後部４Ｒのいずれか一方において前記柔軟材３Ｆに付着され、かつ、前部４Ｆ又は後部４Ｒの他方において前記柔軟材３Ｆに非付着状態に設定されている。このように、補強材３Ｌが柔軟材３Ｆに広範囲にわたって付着されていることで、補強材３Ｌが柔軟材３Ｆに対して不用意にズレるのを抑制できるだろう。
【００１２】ここで、補強材３Ｌの上端部４の前部４Ｆ及び後部４Ｒの双方が柔軟材３Ｆに付着されていると、上端部４の貫通孔Ｈにコード１を通すのが困難だろう。一方、上端部４の前部４Ｆ及び後部４Ｒの双方が柔軟材３Ｆに対し付着されていない非付着状態であると、前記背屈の動作時に、補強材３Ｌの上端部４が柔軟材３Ｆに対し不用意に変位ないし変形し易いだろう。
【００１３】これに対し、本発明によれば、上端部４の前部４Ｆ又は後部４Ｒの一方においてのみ、上端部４が柔軟材３Ｆに付着されている。そのため、コード１を上端部４の貫通孔Ｈに挿通することができる。
【００１４】特に、上端部４の前部４Ｆ又は後部４Ｒの一方において柔軟材３Ｆに付着されており、そのため、前記背屈の動作時に、上端部４が柔軟材３Ｆと共に移動するだろう。更に、上端部４の前部４Ｆ又は後部４Ｒの他方が柔軟材３Ｆに対し非付着状態であり、そのため、上端部４に覆われた柔軟な柔軟材５の部位も変形可能であろう。したがって、前記背屈時等において足の大きな変形に対応して柔軟材５が変形可能となり、たとえば前記背屈時等に互いに隣り合う上端部４同士が側面視において接近ないし互いに重なる程、変位することも可能であろう。
【００１５】以上のようなことから、本アッパーは静止立位及び背屈などの動作時に、足にフィットし易く、かつ、足を支持し易いだろう。
【図面の簡単な説明】
【００１６】
【図１】図１は本発明の実施例にかかるアッパーの概略平面図である。
【図２】図２は同実施例にかかるアッパーを内側から見た概略側面図である。
【図３】図３は同実施例にかかるアッパーを外側から見た概略側面図である。
【図４】図４はシューレースを外した状態の同アッパーの概略平面図である。
【図５】図５はシューレースを外した状態の同アッパーの概略内側面図である。
【図６】図６はシューレースを外した状態の同アッパーの概略外側面図である。
【図７】図７は静止立位における外側部を斜め後方から見て拡大して示す斜視図である。
【図８】図８は足の背屈時における外側部を斜め後方から見て拡大して示す斜視図である。
【図９】図９はシューレースを外した状態におけるアッパーの要部を拡大して示す斜視図である。
【図１０】図１０は足の骨格を示す内側面図である。
【発明を実施するための形態】
【００１７】好ましくは、少なくとも１つの補強材３Ｌの各上端部４は、前記貫通孔Ｈよりも先端側の先端縁４０、前記前部４Ｆ又は後部４Ｒのうち、前記前部４Ｆ又は後部４Ｒのいずれか一方においてのみ前記柔軟材３Ｆに付着されている。
【００１８】この場合、上端部４の先端縁４０が柔軟材３Ｆに付着されていない非付着状態であり、前記上端部４の変位や変形が実現され易い。また、上端部４の貫通孔Ｈにコード１を挿通し易い。
【００１９】好ましくは、下記の（ａ）又は（ｂ）のいずれか一方に設定されている、  （ａ）前記少なくとも１つの補強材３Ｌの各上端部４は、前記前部４Ｆにおいて前記柔軟材３Ｆに付着され、かつ、前記後部４Ｒにおいて前記柔軟材３Ｆに非付着状態に設定されている、  （ｂ）前記少なくとも１つの補強材３Ｌの各上端部４は、前記後部４Ｒにおいて前記柔軟材３Ｆに付着され、かつ、前記前部４Ｆにおいて前記柔軟材３Ｆに非付着状態に設定されている。
【００２０】この場合、各補強材３Ｌの上端部４の前部４Ｆ又は後部４Ｒのみが柔軟材３Ｆに付着されており、互いに隣接する補強材３Ｌにおいて、前記付着部分を所定の間隔に配置できる。その結果、各補強材３Ｌ間における柔軟材３Ｆの変形が期待できる。
【００２１】好ましくは、上端部４における前記貫通孔Ｈよりも先端側の先端縁４０において、前記上端部４が前記柔軟材３Ｆに対し非付着状態に設定されている。
【００２２】この場合、上端部４の先端縁４０が柔軟材３Ｆに付着されていない非付着状態であり、前記上端部４の変位や変形が実現され易い。また、上端部４の貫通孔Ｈにコード１を挿通し易い。
【００２３】好ましくは、複数の貫通孔Ｈのうち前記前後方向Ｙに互いに隣り合う２つの前記貫通孔Ｈの間において、前記コード１は一方の上端部４の裏側４ｂに配置され、かつ、他方の上端部４の表側４ｓに配置されていることで、前記コード１と柔軟材３Ｆとの間に前記シューレース２が通る隙間Ｓが形成されている。
【００２４】かかるコード１の配置は各露出エリア１０の長さを確保し易いだろう。したがって、所期の前記変位や変形が期待できるだろう。また、シューレース２の通る隙間Ｓの大きさを確保し易いだろう。そのため、露出エリア１０に係合するシューレース２を通し易いだろう。
【００２５】好ましくは、複数の貫通孔Ｈのうち前記前後方向Ｙに互いに隣り合う２つの前記貫通孔Ｈの間において、前記コード１は一方の上端部４の裏側４ｂに配置され、かつ、他方の上端部４の表側４ｓに配置されていることで、  前記互いに隣り合う２つの上端部４のうちの一方の上端部４の裏側４ｂと他方の上端部４の表側４ｓとが少なくとも一部において互いに対面した状態で配置されている。
【００２６】ここで、「前記互いに隣り合う２つの上端部４のうちの一方の上端部４の裏側４ｂと他方の上端部４の表側４ｓとが少なくとも一部において互いに対面した状態で配置されている」とは、前記互いに隣り合う２つの上端部４，４が１つの仮想の平面上に配置されておらず、かつ、前記一方の上端部４の表側をその法線方向から見た場合に、前記他方の上端部４の表側４ｓの少なくとも一部が隠れて見えないことを意味する。
【００２７】この好ましい例の場合、互いに隣り合う２つの上端部４，４は、シューレース２が取り外された状態において、互いに（概ね）平行な一対の平面上に配置され易いだろう。そのため、コード１の露出エリア１０が確保し易く、したがって、コード１を露出エリア１０と柔軟材３Ｆとの間の隙間Ｓに通し易いだろう。
【００２８】好ましくは、複数の貫通孔Ｈのうち前記前後方向Ｙに互いに隣り合う２つの前記貫通孔Ｈの間において、前記コード１は一方の上端部４の裏側４ｂに配置され、かつ、他方の上端部４の表側４ｓに配置されていることで、前記コード１と柔軟材３Ｆとの間に前記シューレース２が通る隙間Ｓが形成されていると共に、  前記互いに隣り合う２つの上端部４のうちの一方の上端部４の裏側４ｂと他方の上端部４の表側４ｓとが少なくとも一部において互いに対面した状態で配置されている。
【００２９】この場合、前述のような効果が期待し易いだろう。
【００３０】好ましくは、コード１の引張剛性は前記シューレース２のそれよりも大きい。
【００３１】コード１の引張剛性が小さい場合、シューレース２の締付力や足の背屈時に、コード１が大きく伸びたり屈曲したりし、シューレース２の締付力が補強材３Ｌに伝わりにくい場合があるかもしれない。これに対し、コード１の引張剛性がシューレース２のそれより大きい場合、シューレース２の締付力が補強材３Ｌに伝わり易いだろう。
【００３２】好ましくは、複数の上端部４のうち前記前後方向Ｙに互いに隣り合う２つの上端部４は、側面視において互いに一部において重なり合っている。
【００３３】この場合、互いに隣り合う上端部４同士が側面視において互いに重なり合うことで、上端部４をコード１が延びる方向に大きくすることができる。そのため、貫通孔Ｈを形成し易く、また、コード１と柔軟材３Ｆとの間の隙間Ｓを確保し易い。
【００３４】好ましくは、少なくとも１つの補強材３Ｌは前記各上端部４からソール８に向かって延びた帯状の帯部３７を備え、  前記帯部３７の上端である前記上端部４において前方及び／又は後方に突出する突部４１が形成されている。
【００３５】この場合、互いに隣り合う帯部３７と帯部３７とが互いに前後方向に離間して配置され易い。また、突部４１は貫通孔Ｈを形成し易くし、更に、コード１と柔軟材３Ｆとの間の隙間Ｓを確保し易い。
【００３６】好ましくは、少なくとも１つの補強材３Ｌは前記上端部４からソール８に向かって延びた帯状の帯部３７を備え、  前記帯部３７の上端である前記上端部４において前方及び／又は後方に突出する突部４１が形成され、  前記複数の上端部４のうち前記前後方向Ｙに互いに隣り合う２つの上端部４は、側面視において前記突部４１において互いに重なっている。
【００３７】この場合、前述のような効果が期待し易いだろう。
【００３８】  好ましくは、前記少なくとも１つの補強材３は前記内側面又は外側面に沿って前記各上端部４から下方又は斜め下方に延びる複数の帯状の帯部３７を備え、  前記複数の帯部３７のうち前記前後方向Ｙに互いに隣り合う２つの帯部３７の間において前記柔軟材３Ｆが露出した柔軟部３５を更に備える。
【００３９】  この場合、隣り合う２つの帯部３７の間の柔軟部３５は、前記一対の帯部３７が変位した際に前後および上下に自在に変形することができるだろう。  そのため、足の背屈などの動作時に、帯部３７が足の変形に応じて変位し易いだろう。すなわち、足の動きに帯部３７が追従し易く、高いフィット性能が期待できる。
【００４０】  好ましくは、静止立位における前記柔軟部３５の面積に比べ、靴の背屈状態における前記柔軟部３５の面積の方が小さい。
【００４１】  この場合、靴が背屈すると、ソールと反対側のアッパー３の上縁（縁部３３）は、甲に相当する部位が前後方向に湾曲して縮み、更に高いフィット性能が期待できる。
【００４２】  好ましくは、複数の各上端部４は前記各上端部４からソール８に向かって斜め後方に延びた前傾姿勢で配置され、  前記複数の上端部４のうち前方の上端部４に比べ後方の上端部４の方が大きく前傾して配置されている。
【００４３】  甲の尾根はＭＰ関節から後方において勾配が徐々に大きくなっており、更に、中足部においては長母趾伸筋腱が上方にせり上がる。このような甲の構造に対し、前方よりも後方の上端部４が大きく前傾した姿勢の複数の上端部４は柔軟材３Ｆを甲にフィットさせ易いだろう。
【００４４】  好ましくは、少なくとも１つの補強材３Ｌは前記内側面又は外側面に沿って前記各上端部４から下方又は斜め下方に延びる複数の帯状の帯部３７を備え、  前記複数の帯部３７のうち前記前後方向Ｙに互いに隣り合う２つの帯部３７は前記上端部４とは反対側の下端部３８において互いに前後方向又は斜め前後方向に連なっている。
【００４５】  この場合、互いに連なった下端部３８は、内側面においては母趾球を側面から覆って支持でき、一方、外側面においては小趾球を側面から覆って支持できるだろう。そのため、足の支持が安定し易い。
【００４６】本発明は、添付の図面を参考にした以下の好適な実施例の説明からより明瞭に理解されるであろう。しかしながら、実施例および図面は単なる図示および説明のためのものであり、本発明の範囲を定めるために利用されるべきではない。本発明の範囲は請求の範囲によってのみ定まる。添付図面において、複数の図面における同一の部品番号は、同一または相当部分を示す。
【実施例】
【００４７】実施例：以下、本発明の実施例が図１〜図９を参照して説明される。以下の説明では、左足用のアッパーが例示される。また、以下の図において、矢印ＯＵＴは足の外側方向、矢印ＩＮは足の内側方向を示す。図１に示す紐締めフィッティング構造を備えた靴は、たとえば、トレールランニング用のシューズで、図２のソール８にアッパー３が固定されている。前記アッパー３はコード１およびシューレース２を備えている。【００４８】ソール８はアッパー３の下に配置され路面に接地するものである。アッパー３は足の甲の少なくとも一部を覆う柔軟材３Ｆおよび舌片６を有している。コード１およびシューレース２は柔軟材３Ｆを足の甲にフィットさせるためのものである。【００４９】ここで、足の甲とは、図１０の中足趾節関節ＭＰよりも後方で、かつ、踝ＢＡの前端よりも前方より詳しくは距骨の前端よりも前方の部位であって、足の上面および側面を含む部位を意味する。したがって、前記柔軟材３Ｆは（図１）中足趾節関節ＭＰよりも前方の爪先や距骨の前端よりも後方の踵部を覆っていても、あるいは、覆っていなくてもよい。なお、前記甲の上面にはシューレース２が配置されている。【００５０】図１−図３において、前記シューレース２の両端部分は図示が省略されているが、アッパー３内に足を挿入した後に、両端部同士は互いに固く結ばれる。シューレース２の端部同士が互いに結ばれることにより、アッパー３が足に対しフィットする。【００５１】図１−図３に示すように、アッパー３には足を着用時に挿入するための履き口７が形成されている。前記履き口７は着用中に脚が上方に出るもので、前記履き口７の前方の部位は前記舌片６で覆われている。【００５２】図５および図６において、前記アッパー３は前記柔軟材３Ｆとは異なる伸縮材３Ｓと、前記補強材３Ｌとは別の補強材３０とを備える。なお、前記補強材３Ｌと別の補強材３０とは、互いに同じ素材が用いられてもよいし、異なる素材が用いられてもよい。図５および図６において、柔軟材３Ｆが露出している部分には幾何学模様が施され、伸縮材３Ｓが表れている部位には格子模様が施され、本発明に係る補強材３Ｌには密度の濃い網点が施され、前記別の補強材３０には粗い網点が施されている。【００５３】図５および図６において、本発明に係る前記補強材３Ｌは甲を上方および側面から覆う柔軟材３Ｆの表面に例えば縫合されて付着（固着）されている。かかる補強材３Ｌは前記甲の側面ないし上面に配置されている。【００５４】前記別の補強材３０は例えば爪先において、前記伸縮材３Ｓの表面に縫合されて付着されている。なお、踵部等には例えば前記柔軟材３Ｆと同じ素材が用いられ、これらの部位には前記別の補強材３０が縫合されて付着されている。【００５５】図１−図６から分かるように、前記柔軟材３Ｆは図示しない足の甲の上面、内側面および外側面を覆うことができる。この柔軟材３Ｆは柔軟な素材で形成されている。前記柔軟材３Ｆは、例えば、網状部材で、図６の前記前後方向Ｙおよび横断方向Ｘに（図１）殆ど伸びないのが好ましい。【００５６】前記補強材３Ｌ，３０は前記柔軟材３Ｆよりも剛性が大きい素材で形成されている。すなわち、前記両補強材３Ｌ，３０は、前記柔軟材３Ｆよりも伸び難く、かつ、曲げ剛性が大きいのが好ましい。前記補強材３Ｌの素材としては人工皮革以外に、ＴＰＵ、樹脂パーツまたはラバーなどの種々の素材を用いることができる。一方、柔軟材３Ｆは補強材３Ｌよりも剛性が小さい素材で形成されており、前記補強材３Ｌよりも伸び易くてもよいし、あるいは、曲げ剛性が小さくてもよい。【００５７】前記伸縮材３Ｓは、例えば、メッシュ状の部材で、前後方向Ｘおよび横断方向Ｘ（図１）に伸び縮みする部材が好ましい。なお、甲の安定な支持を実現するために、柔軟材３Ｆは伸縮材３Ｓよりも伸び縮みしにくい素材が用いられるのが好ましい。【００５８】図７および図８は外側部３２を斜め後方から見た図である。図７に示すように、前記複数の各補強材３Ｌの上端部４には、それぞれ、前記各補強材３Ｌの表面の法線方向（表面に垂直な方向）に前記補強材３Ｌを貫通する１つの貫通孔Ｈが形成されている。前記複数の各補強材３Ｌは前記内側部３１及び／又は外側部３２の柔軟材３Ｆの表面に少なくとも下半部３９が縫合されて付着されている。【００５９】図７及び図８の貫通孔Ｈが形成された補強材３Ｌは、たとえば合成皮革からなり前記柔軟材３Ｆと共に前記内側部３１および外側部３２の一部を形成する。図５および図６に示すように、前記補強材３Ｌで覆われていない柔軟材３Ｆの部分は柔軟部３５を形成し、露出した状態となっている。【００６０】前記アッパー３は複数の補強材３Ｌにより互いに前後に分かれた例えば複数の前記柔軟部３５を備える。各柔軟部３５は、互いに隣接する前記補強材３Ｌ，３Ｌの間において柔軟材３Ｆが前記補強材３Ｌで覆われずに前記柔軟材３Ｆが露出している。なお、図４に示すように、内外の前記柔軟材３Ｆの間に配置された舌片６は前記内側部３１と外側部３２との間の部位、つまり甲の中央部３６において露出している。【００６１】図５の内側部３１は、図示しない足の甲および母趾の内側面を覆う。前記内側部３１の１つの補強材３Ｌの前端部分は母趾球の内側面を覆い、それよりも前方の部位には別の補強材３０が連なっている。一方、図６の外側部３２は図示しない甲および小趾の外側面を覆う。前記外側部３２の１つの補強材３Ｌの前端部分は小趾球の内側面を覆い、それよりも前方の部位には別の補強材３０が連なっている。すなわち、補強材３Ｌと別の補強材３０とは足を覆う部位によって定義される。【００６２】  前記各補強材３Ｌは前記内側面又は外側面に沿って下方又は斜め下方に延びていてもよい。後述するように、図７の静止立位における前記各柔軟部３５の面積に比べ、図８の靴が背屈した状態における前記各柔軟部３５の面積の方が小さい。【００６３】  図６の前記貫通孔Ｈを有する各補強材３Ｌは前記上端部４からソール８に向かって斜め後方に延びた前傾姿勢で配置されている。前記複数の補強材３Ｌのうち前方の補強材３Ｌに比べ後方の補強材３Ｌの方が大きく前傾して配置されている。すなわち、前方の補強材３Ｌに比べ後方の補強材３Ｌの方が水平線となす角が小さい。【００６４】  図７において、前記複数の補強材３Ｌのうち前後方向Ｙに互いに隣り合う２つの補強材３Ｌは前記上端部４とは反対側の下端部３８において互いに前後方向又は斜め前後方向Ｙに連なっている。【００６５】  前記各補強材３Ｌは前記上端部４からソール８に向かって斜め後方に延びた長方形の帯状の帯部３７を備える。前記帯部３７同士は互いに前後方向Ｙ又は斜め前後方向に離間しており、互いに隣り合う帯部３７と帯部３７との間において前記柔軟部３５が露出して配置されている。前記帯部３７の上端である前記上端部４には、例えば前方に突出する突部４１が形成されている。本実施例の場合、図２および図３の側面図に示すように、前記複数の補強材３Ｌのうち前後方向Ｙに互いに隣り合う２つの補強材３Ｌは、側面視において前記突部４１において互いに重なっている。なお、「側面視において」とは、靴や足の長軸に直交する真横から靴を見る状態を意味、側面図においてという意味に解することができる。【００６６】  図７の前記各補強材３Ｌの上端部４は、前記前部４Ｆ又は後部４Ｒのいずれか一方において前記柔軟材３Ｆに付着され、かつ、前部４Ｆ又は後部４Ｒの他方において前記柔軟材３Ｆに非付着状態に設定されている。本実施例の場合、前記各補強材３Ｌの上端部４は、前記前部４Ｆにおいて前記柔軟材３Ｆに付着され、かつ、後部４Ｒにおいて前記柔軟材３Ｆに非付着状態に設定されている。更に、前記上端部４における貫通孔Ｈよりも先端側の先端縁４０において、前記上端部４が前記柔軟材３Ｆに対し非付着状態に設定されている。【００６７】  つぎに、前記各補強材３Ｌの付着状態および非付着状態について詳しく説明する。なお、以下の説明において、内側部３１と外側部３２とは同様な構造となっており、代表して外側部３２についてのみ説明する。  図７−図９において、図中の破線は「かくれ線」ではなく、縫合糸のミシン目を示す。なお、糸としてはナイロン糸などの人工糸が用いられてもよく、あるいは、綿糸などの天然糸が用いられてもよい。【００６８】前記各上端部４はその表面に直交する法線方向から見た場合に、一部において互いに重なっており、かつ、前記法線方向に互いに離間して配置されている。【００６９】  本実施例の場合、図９の前記各補強材３Ｌの上端部４は、人工皮革などの非伸縮材が二重に重ねられて形成されている。前記各補強材３Ｌの上端部４の先端縁４０、上端部４の下端の境界４２の近傍および後部４Ｒにおいて、第１の糸Ｆ１は前記二重の非伸縮材を互いに縫合しており、かつ、上端部４を柔軟材３Ｆに縫い合わせていない。【００７０】  前記各補強材３Ｌの前縁（上端部４の前縁を含む）上端部４の下端の境界４２の近傍および下端部３８（図７）において、第２の糸Ｆ２は前記各補強材３Ｌを柔軟材３Ｆに縫い合わせている。こうして、図９の前記各補強材３Ｌの上端部４は、前記貫通孔Ｈよりも先端側の先端縁４０、前記前部４Ｆ又は後部４Ｒのうち、前記前部４Ｆにおいてのみ前記柔軟材３Ｆに付着されている。【００７１】本発明において、「付着」とは、固着という言葉に置き換えてもよく、概念的には容易に取り外しができないように接合されていることを意味する。また、具体的には、「付着」とは、接着、溶着または縫合（縫着）などの手段や、これらの２以上の手段を組み合わせて接合することを意味する。本発明において、「非付着状態」とは前部４Ｆ又は後部４Ｒが柔軟材３Ｆに付着されていない自由（フリー）な状態を意味する。非付着状態の前部４Ｆ又は後部４Ｒは柔軟材３Ｆに拘束されることなく、かつ、付着された部位を中心に捩れや、回転などの変位や変形が可能であろう。一方、前部４Ｆ又は後部４Ｒが付着されていない柔軟材３Ｆの部分は、足やアッパーの変形に応じて、皺が生じるように変形（立体的な変形）したり、仮想の正方形が菱型に変形（剪断変形）するような変形が可能であろう。【００７２】  図４に示すように、前記コード１は前記内側部３１および外側部３２の中央寄りの縁部３３において、前記内側部３１および外側部３２の前記貫通孔Ｈに挿通され、かつ、足の前後方向Ｙに沿って配置されている。前記コード１の一部は前記前後方向Ｙに互いに離間した複数の露出エリア１０において露出された状態で配置されている。前記コード１は履き口７よりも前方に配置されている。  なお、本実施例の場合、舌片６の前端に一対のコード通し用のループＲが設けられ、コード１は例えばＵ字状に配置されている。【００７３】こうして、コード１の一部は前記前後方向Ｙに、かつ、貫通孔Ｈに挿通されていると共に、互いに離間した複数の露出エリア１０にわたって連なった状態で配置されている。【００７４】前述のように略Ｕ字状に配置された図５および図６のコード１の両端部１Ｅは図７の固定部５において補強材３０に縫着されて固定されている。なお、本実施例の場合、前記固定部５は内側部３１（図４）および外側部３２の後部、つまり、履き口７（図４）の近傍に設けられている。【００７５】  図９において、前記複数の貫通孔Ｈのうち前後方向Ｙに互いに隣り合う２つの前記貫通孔Ｈの間において、前記コード１は一方の補強材３Ｌの裏側４ｂに配置され、かつ、他方の補強材３Ｌの表側４ｓに配置されている。これにより、前記コード１と柔軟材３Ｆとの間に前記シューレース２が通る隙間Ｓが形成されていると共に、図９から分かるように、前記互いに隣り合う２つの上端部４のうちの一方の上端部４の裏側４ｂと他方の上端部４の表側４ｓとが一部において互いに対面した状態で配置されている。【００７６】図４の前記履き口７よりも前方における足の内側ＩＮにおいて前記コード１の第１部１Ｍは前記前後方向Ｙに互いに離間した複数の露出エリア１０において露出された状態で配置される。また、前記履き口７よりも前方における足の外側ＯＵＴにおいて前記コード１の第２部１Ｌは前記前後方向Ｙに互いに離間した複数の露出エリア１０において露出された状態で配置される。【００７７】本実施例においては、前記コード１は、前記横断方向Ｘに延び前記第１部１Ｍと前記第２部１Ｌとを連結する第３部１Ｘを有し、Ｕ字状に形成された少なくとも１本の紐で形成されている。【００７８】こうして、図１の前記コード１はシューレース２のための紐通し孔を形成する。シューレース２は前記複数の露出エリア１０において前記コード１に足の横断方向Ｘに係合し前記内側部３１と前記外側部３２とを互いに近づける。すなわち、シューレース２は前記複数の露出エリア１０において前記コード１の第１部１Ｍと第２部１Ｌに足の横断方向Ｘに交互に係合し前記内側部３１と前記外側部３２とを互いに近づける【００７９】本実施例の場合、前記コード１は１本の丸ヒモと前記丸ヒモ内に挿通された金属ないし樹脂などのワイヤとで形成されている。一方、前記シューレース２は天然糸および／または人工糸を編んだ１本の紐で形成されている。【００８０】  ところで、図９の前記各補強材３Ｌの上端部４は、前記貫通孔Ｈよりも先端側の先端縁４０、前記前部４Ｆ又は後部４Ｒのうち、前記前部４Ｆ又は後部４Ｒのいずれか一方においてのみ前記柔軟材３Ｆに付着されていればよい。  また、前記複数の補強材３Ｌのうち前後方向Ｙに互いに隣り合う２つの補強材３Ｌは、側面視において互いに一部において重なり合っていなくてもよい。【００８１】  つぎに、本アッパーの挙動について説明する。すなわち、図７の静止立位から踵が浮いた図８の背屈時に移行する際の本アッパーの挙動について説明する。【００８２】  今、図８の靴および足が背屈すると、図１０の踝ＢＡの前方の中足部において、甲の図示しない長母趾伸筋腱が上方に迫り上がる。そのため、甲の上面の傾斜角は著しく大きく変化する。同時に、甲の上面は前記背屈時に縮む。【００８３】  一方、図８の柔軟材３Ｆは前記背屈時に前記甲の上面に沿った方向に縮んだような変形を呈する。この変形は平面状の前記柔軟材３Ｆの表面が湾曲面となって変形する場合の他に前記柔軟材３Ｆが実際に縮むことにより実現されてもよい。【００８４】  他方、図７および図８の比較から分かるように、互いに隣り合う補強材３Ｌの帯部３７同士の距離（ピッチ）は前記背屈により短くなるように各補強材３Ｌが変位する。この際、補強材３Ｌの少なくとも下端部３９は、つまり、上端部４を除く補強材３Ｌの部分は柔軟材３Ｆの表面に前後等の縁において付着されており、更に、上端部４においては前部４Ｆが付着されている。そのため、各補強材３Ｌおよび柔軟材３Ｆが一体となって変位および変形する。したがって、アッパーの挙動にバラつきが生じにくく、甲の保持機能が損なわれにくいだろう。【００８５】  また、図７および図８の比較から分かるように、図７の上端部４の面が柔軟部３Ｆの面となす角は、静止立位時に比べ、図８の背屈時の方が大きくなる。すなわち、静止立位から背屈に移行する際に上端部４の表面が回転する（捩れる）ように変位ないし変形する。【００８６】  ここで、本補強材３Ｌの上端部４は前部４Ｆ又は後部４Ｒの一方においてのみ、前記上端部４が柔軟材３Ｆに付着されている。そのため、上端部４の前記回転を妨げにくい。したがって、背屈時の高いフィット性能が期待できる。【００８７】つぎに、他の例について説明する。前記補強材３Ｌおよび柔軟部３５は、例えば、内側部３１又は外側部３２のいずれか一方にのみ設けられていてもよい。【００８８】また、前記補強材３Ｌおよび柔軟部３５は、甲の全長にわたって設けられる必要はなく、足の前足部又は中足部に設けられてもよく、例えば、シューレース２が配置される領域の前半部分又は後半部分の一方に設けられてもよい。【００８９】更に、前記補強材３Ｌおよび柔軟部３５は、内外において互いに非対称に配置されてもよく、たとえば、足の内側では中足部に設けられ、一方、足の外側では前足部に設けられてもよい。【００９０】また、少なくとも１つの補強材３Ｌは各上端部４お��び帯部３７ごとに別体に形成した複数枚を柔軟材３Ｆに付着されてもよいし、１枚の補強材３Ｌに複数の上端部４および帯部３７が一体に連なって形成されていてもよい。また、貫通孔Ｈは、いわゆるＤ環や合成樹脂のＣ環で形成されていてもよい。すなわち、（各）上端部４の上縁にＤ環やＣ環などの貫通孔を有する部材を設け、当該Ｄ環等にコード１が挿通されていてもよい。【００９１】以上のとおり、図面を参照しながら好適な実施例を説明したが、当業者であれば本明細書を見て、自明な範囲で種々の変更および修正を容易に想定するであろう。たとえば、突部４１は上端部４の後方に向かって突出していてもよい。また、上端部４には突部４１が形成されていなくてもよい。また、前記コード１の引張剛性は前記シューレース２のそれよりも小さいか、あるいは、シューレース２と同等であってもよい。アッパーの下に配置されるソールは、いわゆるアウトソールのみを有していてもよい。アッパーはローカットタイプではなく、ハイカットタイプであってもよい。アッパーの中央部の舌片は設けられていなくてもよい。したがって、そのような変更および修正は、請求の範囲から定まる本発明の範囲内のものと解釈される。
【産業上の利用可能性】
【００９２】  本発明はシューレースを用いた紐締め構造を有する靴に適用できる。
【符号の説明】
【００９３】  １：コード  １Ｍ：第１部  １Ｌ：第２部  １Ｘ：第３部  １Ｅ：端部  １０：露出エリア（係合エリア）  ２：シューレース  ３：アッパー  ３Ｆ：柔軟材  ３Ｓ：伸縮材  ３Ｌ：補強材  ３０：補強材  ３１：内側部  ３２：外側部  ３３：縁部  ３５：柔軟部  ３６：中央部  ３７：帯部  ３８：下端部  ３９：下半部  ４：上端部  ４ｂ：裏側  ４ｓ：表側  ４Ｆ：前部  ４Ｒ：後部  ４０：先端縁  ４１：突部  ４２：境界５：固定部  ６：舌片  ７：履き口  ８：ソールＦ１：第１の糸  Ｆ２：第２の糸Ｈ：貫通孔  Ｒ：ループ  Ｓ：隙間Ｘ：横断方向  Ｙ：前後方向  ＯＵＴ：外側方向  ＩＮ：内側方向
【図１】
2015155882.tif 000003
【図２】
2015155882.tif 000004
【図３】
2015155882.tif 000005
【図４】
2015155882.tif 000006
【図５】
2015155882.tif 000007
【図６】
2015155882.tif 000008
【図７】
2015155882.tif 000009
【図８】
2015155882.tif 000010
【図９】
2015155882.tif 000011
【図１０】
2015155882.tif 000012
【国際調査報告】
2015155882.tif 000013
2015155882.tif 000014
2015155882.tif 000015
2015155882.tif 000016